(57)【要約】 【課題】  本発明は、主として花鉢を室内において飾ることにより、室内に美的鑑賞に堪える雰囲気を出すことを目的とする物品を提供するものである。 【解決手段】  本発明は、鴨居への取付け部材の左右側片から掛止杆を突設し、この掛止杆にそれぞれ吊り杆の上端部の環部を掛け止めるようにし、前記吊り杆の下側部適所には挿通管８と端管９とを設け、前記挿通管と端管とには輪杆１０の所定箇所にそれぞれ設けた脚杆を挿入し、下方輪杆には水受け皿体１２を載置し、上方輪杆には鉢体１３を嵌置するようにするものである。また本発明は、長押ｂの取付けを２本の吊り杆２１の掛止部２２を介して行い、前記吊り杆の下側部適所にはそれぞれ挿通管８と端管９とを設け、前記挿通管と端管とには輪杆の所定箇所にそれぞれ設けた脚杆を挿入して成るものである。【選択図】    図４
2020171432.tif 000002
【特許請求の範囲】
【請求項１】
鴨居への取付け部材の左右側片から掛止杆を突設し、この掛止杆にはそれぞれ吊り杆の上端部の環部を掛け止めるようにし、前記吊り杆の下側部適所には挿通管と端管とを設け、前記挿通管と端管とには輪杆の所定箇所にそれぞれ設けた脚杆を挿入し、下方輪杆には水受け皿体を載置し、上方輪杆には鉢体を嵌置するようにして成ることを特徴とする室内用吊下げ具。
【請求項２】
長押への取付けを２本の吊り杆の掛止部を介して行い、前記吊り杆の下側部適所には挿通管と端管とを設け、前記挿通管と端管とには輪杆の所定箇所にそれぞれ設けた脚杆を挿入し、下方輪杆には水受け皿体を載置し、上方輪杆には鉢体を嵌置するようにして成ることを特徴とする室内用吊下げ具。
【発明の詳細な説明】
【技術分野】
【０００１】
本発明は、室内において鴨居又は長押に掛け止めて配置する吊下げ具に関するものである。
【背景技術】
【０００２】
建物の室内においては鴨居や長押に掛け止めて配置する吊下げ具としては、次のようなものが公開されている。
【先行技術文献】
【特許文献】
【０００３】
【特許文献１】実開昭６１−２２０７１８号公報
【特許文献２】実開昭６３−８８１７９号公報
【特許文献３】実開昭６３−１５０５７９号公報
【特許文献４】特開平１−１２４４１６号公報
【特許文献５】特開２０１６−２２０７１８号公報
【０００４】
しかしながら、これらの公開技術にあっては、店舗や室内においてハンガー等を介して衣類や洋服を掛け止めておくことを目的とするものであり、室内に装飾用に花鉢を吊り置くことを目的とするようなものではないのである。
【発明の概要】
【発明が解決しようとする課題】
【０００５】
そこで、本発明にあっては、主として花鉢を室内において飾ることにより、室内に美的鑑賞に堪える雰囲気を出すことを目的とする物品を提供するものである。
【課題を解決するための手段】
【０００６】
本発明は、鴨居への取付け部材の左右側片から掛止杆を突設し、この掛止杆にそれぞれ吊り杆の上端部の環部を掛け止めるようにし、前記吊り杆の下側部適所には挿通管と端管とを設け、前記挿通管と端管とには輪杆の所定箇所にそれぞれ設けた脚杆を挿入し、下方輪杆には水受け皿体を載置し、上方輪杆には鉢体を嵌置するようにするものである。
【０００７】
また本発明は、長押への取付けを２本の吊り杆の掛止部を介して行い、前記吊り杆の下側部適所には挿通管と端管とを設け、前記挿通管と端管とには輪杆の所定箇所にそれぞれ設けた脚杆を挿入し、下方輪杆には水受け皿体を載置し、上方輪杆には鉢体を嵌置するようにするものである。
【発明の効果】
【０００８】
使用者は、家屋の室内の状態を見て、長押や鴨居の構成態様に合わせて、それぞれ別箇の構成に成る吊り杆の上端部の取付けを行えばよいのであり、取付けた後はそれぞれの部材に水受け皿体や鉢体を置けばよいのである。
【０００９】
即ち、使用者は、室内の状況に応じて吊下げ具の取付け作業をすればよいのである。
【図面の簡単な説明】
【００１０】
【図１】実施例１の構成部材を各分離した斜視図
【図２】実施例１の使用状態時の全体の斜視図
【図３】実施例２の使用状態時の全体の斜視図
【図４】図３の現実の使用状態図
【発明を実施するための形態】
【００１１】
本発明においては、２つの実施例を開示しているところ、それは家屋における室内の状態に合わせて掛け止める部材の構成を変えているのであるが、いずれの実施例にあっても、左右の吊り杆間の上下部において配置する水受け皿体用の輪杆部と鉢体用の輪杆部とを配置するようにしているから、住人や来客は常時生花を鑑賞できる雰囲気を有していることになる。
【実施例１】
【００１２】
実施例１は、鴨居ａに取付ける場合を示している。
【００１３】
１は鴨居ａへの取付部材で、この取付部材は鴨居に対して螺子２，２等にて固定する。
【００１４】
３，３は前記取付部材１の左右側片で、この左右側片からは正面方向に掛止杆４，４を突設する。
【００１５】
５，５は適当長さに成る２本の吊り杆で、この吊り杆の上端には環部６，６を設け、この環部は前記取付部材１の掛止杆４，４の一部に掛け止めるようにする。
【００１６】
７，７’，７，７’は前記吊り杆５，５の下側部及び後側部に一体に構成する支持杆である。
【００１７】
８，８は前記吊り杆５，５の下側部適所に設けた挿通管で、この挿通管の下方部には端管９，９を設ける。
【００１８】
１０，１０は適当広さに成る輪杆で、上下に離間状態で配置する各輪杆の適当位置の下側部には、それぞれ適当長さの脚杆１１，１１，１１，１１を突設し、この脚杆は上方向から前記吊り杆５，５に設けた挿通管８，８と端管９，９とに挿入して固定する。
【００１９】
１２は下方輪杆１０に載置する水受け皿体で、この水受け皿体上には上方輪杆１０内に嵌合する鉢体１３が載置するようになるが、この鉢体には任意の生花が植生している。
【実施例２】
【００２０】
実施例２は、長押ｂに取付ける場合を示している。
【００２１】
２１，２１は長押ｂに直接掛け止めて取付ける２本の吊り杆で、この吊り杆の上端部には掛止部２２，２２を設け、長押ｂに直接掛け止めて取付けるものである。これ以外の部分の構成部材の名称と符号は実施例１の場合と同一である。
【００２２】
図４においては、実施例２の場合について使用状態を描写している。
【符号の説明】
【００２３】
１                            取付部材
２，２                        螺子
３，３                        左右側片
４，４                        掛け止め杆
５，５                        吊り杆
６，６                        環部
７，７’，７，７’            支持杆
８，８                        挿通管
９，９                        端管
１０，１０                    輪杆
１１，１１，１１，１１        脚杆
１２                          水受け皿体
１３                          鉢体
２１，２１                    吊り杆
２２，２２                    掛止部
ａ                            鴨居
ｂ                            長押
【図１】
2020171432.tif 000003
【図２】
2020171432.tif 000004
【図３】
2020171432.tif 000005
【図４】
2020171432.tif 000006